(57)【要約】【課題】複数の室内機を有するマルチエアコン等において高性能、高能力化に伴い冷媒量が増加し、受液部の大型化が進む中、受液部を機械室に収納できず、送風路内に設置することにより異音や騒音上昇、複雑な構成を余儀なくさせられていた。【解決手段】室外機本体１の左側面１ａと背面１ｂに面してＬ型に形成され、所定の隙間を設けた空間Ｓを有してほぼ均等に上下２段に分割された熱交換器３の空間Ｓに受液部１７を配置し、機械室１０に突出した部分で接続配管９にて圧縮機８等の冷凍サイクル部品に接続することにより、送風路１３の熱交換器３とファン１４の間の空間に抵抗体として存在せず、また仕切板７を貫通して受液部１７までの接続配管９を設けることもないので、異音や通風抵抗を抑え、有効に熱交換器を活用し、接続配管を大幅に短くすることができ簡易でコストメリットのある空気調和機の室外機を提供することができる。【選択図】図２
2007322041.tif 000002
【特許請求の範囲】
【請求項１】
本体の底面を形成する基板上に、本体の一方の側面と背面とに面してＬ型に形成されてほぼ均等に上下２段に分割された熱交換器を有し、前記熱交換器の本体側面側の端板の延長線上に仕切板を配設して、前記本体内に圧縮機を収納する機械室と、前記熱交換器を有する送風路とを形成し、前記送風路に上下２個のファン及びファンモータとそれらを保持するファンモータ支持台を備え、前記熱交換器の上下の分割部に所定の空間を設け、前記空間に冷凍サイクルの受液部を配置することを特徴とする空気調和機の室外機。
【請求項２】
受液部を、熱交換器の分割部の空間の本体背面の直線部分にのみ配置することを特徴とする請求項１に記載の空気調和機の室外機。
【請求項３】
熱交換器の分割部の空間の内、背面側空間において、一方をファンモータ支持台、他方を前記熱交換器の端板に固定して受液部を配置することを特徴とする請求項１又は２に記載の空気調和機の室外機。
【請求項４】
受液部を、熱交換器の端板より機械室側に突出させ、その突出部分に配管を接続することを特徴とする請求項１〜３のうちいずれか一項に記載の空気調和機の室外機。
【発明の詳細な説明】
【技術分野】
【０００１】
本発明は、空気調和機の室外機に関し、特に受液部の配置に関するものである。
【背景技術】
【０００２】
従来この種の空気調和機の室外機は、冷媒調整用の受液部が機械室に収納しきれない場合、送風路側に配置されていた。図６は従来の空気調和機の室外機の平面断面図で、図７は同じく室外機の正面からの要部断面図である。図６、図７に示すように冷媒調整用の受液部１１７は機械室１１０に収納しきれない場合、熱交換器１０３、ファン１１４、ファンモータ支持台１１６等で構成される送風路１１３内に鉛直方向に固定具１１９を介してネジ２２０によりファンモータ支持台１１６に固定して配置され、仕切板１０８に設けられた貫通穴１０８ａを経て接続配管１０９で機械室１１８まで導かれていた。また、この時、貫通穴１０８ａに生ずる接続配管１０９の隙間にはシール材１０８ｂで覆う必要があった。
【特許文献１】特開２００１−１７３９９８号公報
【発明の開示】
【発明が解決しようとする課題】
【０００３】
しかしながら、上記従来の構成では、特に複数の室内機を有するマルチエアコン等において高性能、高能力化に伴い冷媒量が増加し、受液部の大型化進む中、機械室内に収納しきれず、比較的スペースに余裕のある送風路の熱交換器とファンの狭い空間に鉛直方向に配置されてきたが、通風抵抗となって送風性能を著しく低下させたり、異音を発生させたり、更には送風機からの距離を保つためファンを小さくせざるを得なかったりした。また受液部から機械室内の冷凍サイクル回路に接続配管を引き廻すため、送風路と機械室を区切っている仕切板に貫通穴を新たに設け、送風路内を余計に引き廻し更に前記貫通穴の接続配管隙間にシール材を設けるという複雑な構成となり、コストアップの要因となるという課題を有していた。
【０００４】
本発明は前記従来の課題を解決するもので、複数の室内機を有するマルチエアコン等において高性能、高能力化が進む一方、設置スペースの制限から比較的自由な高さ寸法が拡大し、熱交換器を上下に分割する方式がとられるなかで、受液部を送風路内に鉛直方向に配置することによる通風抵抗や異音を極力抑え、さらには、仕切板を貫通して受液部までの接続配管を設けるといった複雑でコストのかかることのない空気調和機の室外機を提供することを目的とする。
【課題を解決するための手段】
【０００５】
前記従来の課題を解決するために本発明の空気調和機の室外機は、本体の底面を形成する基板上に、本体の一方の側面と背面とに面してＬ型に形成されてほぼ均等に上下２段に分割された熱交換器を有し、前記熱交換器の本体側面側の端板の延長線上に仕切板を配設して、前記本体内に圧縮機を収納する機械室と、前記熱交換器を有する送風路とを形成し、前記送風路にファン及びファンモータとそれらを保持するファンモータ支持台を備え、前記熱交換器の上下の分割部に所定の空間を設け、前記空間に冷凍サイクルの受液部を配置するようにしたものである。
【０００６】
これによって上下ほぼ均等に分割された熱交換器の間に受液部を配置し、送風路の熱交換器とファンの間の空間に抵抗体として存在せず、また、上下２個のファンがほぼ均等に各々の上下熱交換器に相対応しており、また仕切板を貫通して受液部までの接続配管を設けることもなく、さらには仕切板の貫通穴の接続配管の隙間にシール材追加を要しない空
気調和機の室外機となる。
【発明の効果】
【０００７】
本発明の空気調和機の室外機は、送風路内での抵抗体による異音や通風抵抗を抑え、さらには、仕切板を貫通して送風路内を受液部まで接続配管を設けることもなく、簡易でコストを抑えた受液部を容易に収納することができる。
【発明を実施するための最良の形態】
【０００８】
第１の発明は、本体の底面を形成する基板上に、本体の一方の側面と背面とに面してＬ型に形成されてほぼ均等に上下２段に分割された熱交換器を有し、前記熱交換器の本体側面側の端板の延長線上に仕切板を配設して、前記本体内に圧縮機を収納する機械室と、前記熱交換器を有する送風路とを形成し、前記送風路にファン及びファンモータとそれらを保持するファンモータ支持台を備え、前記熱交換器の上下の分割部に所定の空間を設け、前記空間に冷凍サイクルの受液部を配置するようにした空気調和機の室外機であり、高性能、高能力化が進む一方、設置スペースの制限から比較的自由な高さ寸法が拡大し、熱交換器を上下に分割する方式がとられるなかで、上下ほぼ均等に分割された熱交換器の間に受液部を配置し、送風路の熱交換器とファンの間の空間に抵抗体として存在せず、また、上下２個のファンがほぼ均等に各々の上下熱交換器に相対応しており、また仕切板を貫通して受液部までの接続配管を設けることもなく、さらには仕切板の貫通穴の接続配管の隙間にシール材追加を要しないので、異音や通風抵抗を抑え、有効に熱交換器を活用し、簡易でコストメリットのある空気調和機の室外機を提供することができる。
【０００９】
第２の発明は、第１の発明において、受液部を、熱交換器の分割部の空間の本体背面の直線部分にのみ配置することにより、受液部の接続部が機械室に存することになり、受液部が直方体形状となって形状が簡略化され、よりコストメリットのある空気調和機の室外機を提供することができる。
【００１０】
第３の発明は、第１又は第２の発明において、熱交換器の分割部の空間の内、背面側空間において、一方をファンモータ支持台、他方を熱交換器の端板に固定して受液部を配置することにより、ファンモータ支持台が上下の中央近傍で受液部に固定されて安定し、振動が少ない空気調和機の室外機を提供することができる。
【００１１】
第４の発明は、第１から第３の発明において、受液部を熱交換器の端板より機械室側に突出させ、受液部の配管接続部が機械室にまで存することになり、その突出部分に配管を接続することにより、接続配管を大幅に短くすることを可能にする空気調和機の室外機を提供することができる。
【００１２】
（実施の形態１）
図１は、本発明の第１の実施の形態における空気調和機の室外機の平面断面図、図２は同じく室外機の正面断面図、図３は図２の要部拡大図である。図４は、第１の実施の形態における空気調和機の室外機の要部断面図で、室外機の背面側受液部近傍の断面を示し、図５は図２の要部拡大図である。
【００１３】
図１から図５において、空気調和機の室外機本体１の底面を形成する基板２上に、室外機本体１の左側面１ａと背面１ｂに面してＬ型に形成され、所定の寸法だけ隙間を設けた空間Ｓを有してほぼ均等に上下２段に分割された熱交換器３（上熱交換器３ａ、下熱交換器３ｂ）が配置されている。熱交換器３の左側面１ａ側の端部には上端板４ａと下４ｂが形成され、これらを接続金具５で連結している。室外機本体１の右側面１ｃ側の熱交換器３の端部には上端板６ａと下端板６ｂが形成され、これらの延長線上に形成された仕切板７によって圧縮機８、接続配管９等の冷凍サイクル部品を収納する機械室１０を形成して
いる。
【００１４】
さらに熱交換器３と仕切板７、及び室外機本体１の正面のオリフィス１１を具備した前板１２で形成される送風路１３に、上下２個のファン１４ａ，１４ｂ及びファンモータ１５ａ，１５ｂを、これらを保持するファンモータ支持台１６を設けて配置している。そして、熱交換器３の空間Ｓには、冷凍サイクルの受液部１７を配置し、左側面１ａ側は固定部１８を介してネジ１９にて金具５に、他端を端板６ａ、６ｂに固定部２０ａ，２０ｂを介してネジ２１ａ，２１ｂにて保持している。さらに、受液部１７は機械室１０に突出するだけの長さを有し、突出した部分より接続配管９にて圧縮機８等の冷凍サイクル部品に接続したものである。
【００１５】
以上のように構成された空気調和機の室外機について、以下その動作、作用を説明する。室外機の熱交換器３は空間Ｓを有してほぼ均等に分割されて、その空間Ｓ部及び機械室１０に突出して受液部１７が配置されているので、送風路１３の熱交換器３とファン１４の空間に受液部１７等の抵抗が存在しない。また、上下にほぼ均等に分割された熱交換器３ａ、３ｂにそれぞれ対応してファン１４ａ、１４ｂがファンモータ支持台１６のファンモータ１５ａ、１５ｂを介してバランスよく配置されており、熱交換器３を通過する風量もバランスがとれている。さらに、圧縮機８等の冷凍サイクル部品への接続は、受液部１７自体が機械室１０に突出しているため接続配管９は仕切板７を貫通する必要もなく、大幅に短くすることが可能である。
【００１６】
以上のように、本実施の形態によれば、異音や通風抵抗を抑え、有効に熱交換器を活用し、簡易でコストメリットのある空気調和機の室外機を提供することができる。
【００１７】
（実施の形態２）
実施の形態１との相違部分を中心に説明する。図６は、本発明の第２の実施の形態における空気調和機の室外機の平面要部断面図、図７は同じく室外機の正面要部断面図である。図６及び図７において、実施の形態１で示した熱交換器３の空間Ｓの内、背面１ｂに沿った空間Ｓにのみ受液部１７を設け、左側面１ａ及びそこに至る曲面部は単に封止をしたもので、受液部１７の配管接続とは反対側は、固定部１８を介してネジ１９にてファンモータ支持台１６に固定したものである。
【００１８】
以上のように構成された空気調和機の室外機については、実施の形態１の作用効果に加え、受液部１７は背面１ｂ側のみに略直方体形状に形成されているので形成そのものが容易であり、さらに簡易でコストメリットのある空気調和機の室外機を提供することができる。また、受液部１７とファンモータ支持台１６とを上下の中央近傍で固定することにより、支持台１６が安定して振動を抑制することができる。
【産業上の利用可能性】
【００１９】
以上のように、本発明にかかる空気調和機の室外機は、送風路内での受液部による異音や通風抵抗を抑え、さらには、仕切板を貫通して送風路内を受液部まで接続配管を設けることもなく、簡易でコストを抑えた受液部を容易に収納することができるので、熱交換器を上下に分割して構成したものであれば、Ｌ型に限らずＵ型や平板型の熱交換器を有する室外機に適用できる。
【図面の簡単な説明】
【００２０】
【図１】本発明の第１の実施の形態における空気調和機の室外機の平面断面図
【図２】同室外機の正面断面図
【図３】図２の要部拡大図
【図４】第１の実施の形態における空気調和機の室外機の要部断面図
【図５】図２の要部拡大図
【図６】本発明の第２の実施形態における空気調和機の室外機の平面要部断面図
【図７】同室外機の正面要部断面図
【図８】従来の空気調和機の室外機の平面断面図
【図９】従来の空気調和機の室外機の正面要部断面図
【符号の説明】
【００２１】
１  室外機本体
１ａ  左側面
１ｂ  背面
２  基板
３  熱交換器
３ａ  上熱交換器
３ｂ  下熱交換器
４  端板
４ａ  上端板
４ｂ  下端板
６  端板
６ａ  端板（上）
６ｂ  端板（下）
７  仕切板
８  圧縮機
９  接続配管
１０  機械室
１３  送風路
１４  ファン
１４ａ  ファン（上）
１４ｂ  ファン（下）
１５  ファンモータ
１５ａ  ファンモータ（上）
１５ｂ  ファンモータ（下）
１６  ファンモータ支持台
１７  受液部
【図１】
2007322041.tif 000003
【図２】
2007322041.tif 000004
【図３】
2007322041.tif 000005
【図４】
2007322041.tif 000006
【図５】
2007322041.tif 000007
【図６】
2007322041.tif 000008
【図７】
2007322041.tif 000009
【図８】
2007322041.tif 000010
【図９】
2007322041.tif 000011